(57)【特許請求の範囲】
【請求項１】
左右１対の脚体により、主天板と補助天板とを、補助天板が主天板の後方に位置するように支持してなる机において、前記補助天板の両側部下面に、上下方向を向く左右１対の支持杆の上端を固着し、この両支持杆を、前記左右の脚体における脚柱の内部に形成された上端が開口する嵌合孔に、上下位置調節手段をもって上下位置変更可能に嵌合することより、前記補助天板を、左右の脚体により高さ調節可能に支持し、かつ前記両脚柱の上端に、前記主天板を支持する前後方向を向く天板支持部材を設け、この天板支持部材に、脚柱の嵌合孔と連通する支持孔を穿設し、この支持孔に挿通させて、前記支持杆を前記脚柱の嵌合孔に嵌合したことを特徴とする机。
【請求項２】
上下位置調節手段が、支持杆の外周面に対向状に穿設された上下複数の係合孔と、この係合孔に選択的に係合可能な突部を内面に有するとともに、上端に拡径フランジを有する、前記支持杆に外嵌可能な半円筒形の１対の分割スリーブ片とからなるものとし、この両分割スリーブ片を、それらの突部を前記係合孔のいずれかに係合させて、円筒形のスリーブとなるように合体し、このスリーブを天板支持部材の支持孔に嵌合することにより、支持杆を、天板支持部材により上下位置調節可能に支持した請求項１に記載の机。
【請求項３】
脚柱の嵌合孔を、支持杆ががたなく嵌合しうる形状としてなる請求項１または２に記載の机。
【請求項４】
嵌合孔の断面形状を、パイプよりなる支持杆の前後左右の外周面が摺接するほぼ方形としてなる請求項３に記載の机。
【請求項５】
左右の天板支持部材の前端部に、主天板を支持する主天板支持体の後端部を、前方に突出するように取付けてなる請求項１〜４のいずれかに記載の机。
【請求項６】
主天板の後端と補助天板の前端とを、平面視において互いに補形をなす円弧状としてなる請求項１〜５のいずれかに記載の机。
【発明の詳細な説明】
【技術分野】
【０００１】
本発明は、主天板の後方に補助天板を有する机に係り、特に、補助天板の支持構造に関する。
【０００２】
主天板とは別の補助天板を有する机としては、例えば特許文献１に記載されているものがある。
【特許文献１】特開２００１−３１４２４１号公報
【発明の開示】
【発明が解決しようとする課題】
【０００３】
上記特許文献１に記載されている机（テーブル）においては、補助天板（棚板）は、主天板の上面上に、左右１対の支持杆（脚）と、その上端に固着されたブラケット（取付部材）とにより、固定的に、すなわち高さ調節不能に取付けられているため、補助天板に載置される物品は限られ、例えばＯＡ機器等のディスプレイを載置して、その高さを執務者の好みに応じて最適に調節したりすることはできない。
【０００４】
この問題に対処するためには、支持杆の上下寸法を大とするとともに、それと主天板との間に設けた上下位置調節手段等を介して、支持杆を上下位置調節可能に支持し、補助天板の高さを調節しうるようにすることも考えられる。
【０００５】
しかし、このようにすると、補助天板の高さを低くした際に、支持杆の下端部が主天板の下方に突出し、下肢空間が小さくなったり、見栄えが悪くなったりする。
また、上記特許文献１のものでは、補助天板の下方の主天板の天板面に、通線孔が開口されているため、必然的に主天板の上面の作業面が小さくなり、使い勝手も悪くなる。
【０００６】
本発明は、上記問題点に鑑みてなされたもので、補助天板を、その支持杆の下端部を露呈させることなく、高さ調節可能に体裁よく支持しうるとともに、主天板の上面全体を広い作業面として使用しうるようにした机を提供することを目的としている。
【課題を解決するための手段】
【０００７】
本発明によると、上記課題は、次のようにして解決される。
（１）左右１対の脚体により、主天板と補助天板とを、補助天板が主天板の後方に位置するように支持してなる机において、前記補助天板の両側部下面に、上下方向を向く左右１対の支持杆の上端を固着し、この両支持杆を、前記左右の脚体における脚柱の内部に形成された上端が開口する嵌合孔に、上下位置調節手段をもって上下位置変更可能に嵌合することより、前記補助天板を、左右の脚体により高さ調節可能に支持し、かつ前記両脚柱の上端に、前記主天板を支持する前後方向を向く天板支持部材を設け、この天板支持部材に、脚柱の嵌合孔と連通する支持孔を穿設し、この支持孔に挿通させて、前記支持杆を前記脚柱の嵌合孔に嵌合する。
【０００８】
（２）上記(１)項において、上下位置調節手段が、支持杆の外周面に対向状に穿設された上下複数の係合孔と、この係合孔に選択的に係合可能な突部を内面に有するとともに、上端に拡径フランジを有する、前記支持杆に外嵌可能な半円筒形の１対の分割スリーブ片とからなるものとし、この両分割スリーブ片を、それらの突部を前記係合孔のいずれかに係合させて、円筒形のスリーブとなるように合体し、このスリーブを天板支持部材の支持孔に嵌合することにより、支持杆を、天板支持部材により上下位置調節可能に支持する。
【０００９】
（３）上記(１)または(２)項において、脚柱の嵌合孔を、支持杆ががたなく嵌合しうる形状とする。
【００１０】
（４）上記(３)項において、嵌合孔の断面形状を、パイプよりなる支持杆の前後左右の外周面が摺接するほぼ方形とする。
【００１１】
（５）上記(１)〜(４)項のいずれかにおいて、左右の天板支持部材の前端部に、主天板を支持する主天板支持体の後端部を、前方に突出するように取付ける。
【００１２】
（６）上記(１)〜(５)項のいずれかにおいて、主天板の後端と補助天板の前端とを、平面視において互いに補形をなす円弧状とする。
【発明の効果】
【００１３】
請求項１記載の発明によれば、補助天板を支持している左右の支持杆は、左右の脚体における脚柱の嵌合孔に嵌合され、その中において上下動するため、支持杆の下端部を外部に露呈させることなく、補助天板を高さ調節可能に体裁よく支持することができる。
【００１４】
また、支持杆の下部は、脚柱内において上下動するので、主天板や補助天板の下方の下肢空間を小さくすることはなく、従って、支持杆の上下寸法を大として、補助天板の高さの調節範囲を大きくすることができる。
さらに、支持杆の上部が天板支持部材の支持孔に挿通され、支持杆の上下方向の嵌合領域が大となるので、補助天板が安定して支持されるようになる。
【００１５】
請求項２記載の発明によれば、複雑な構造の上下位置調節手段や特別なブラケット等を用いることなく、補助天板を左右の脚体の天板支持部材により、簡単かつ高さ調節可能に支持することができる。
【００１６】
請求項３記載の発明によれば、支持杆の下部が脚柱の嵌合孔にがたなく嵌合されているので、補助天板の高さを高くしても、支持杆がぐらつく恐れはなく、補助天板は安定して支持される。
【００１７】
請求項４記載の発明によれば、支持杆を上下動させる際の摺動抵抗が小さくなるので、補助天板の高さの調節も容易となる。
【００１８】
請求項５記載の発明によれば、主天板は、主天板支持体により、脚体の前方に大きく突出した状態で支持されるので、補助天板の前後寸法を大として、ＯＡ機器等の物品の載置面積を大きくしうるとともに、主天板の上面を、補助天板に妨げられることなく、広い作業面として使用することができる。
【００１９】
請求項６記載の発明によれば、補助天板の高さを調節する際に、その前端縁が主天板の後端縁に干渉する恐れはなく、かつ互いの対向縁の見栄えがよくなる。
【発明を実施するための最良の形態】
【００２０】
以下、本発明の実施形態を、図面に基づいて説明する。
図１は、本発明の机の前方斜視図、図２は、同じく側面図、図３は、同じく、机の後部の拡大中央縦断側面図である。
【００２１】
机(１)は、左右１対の脚体(２)(２)と、主天板(３)と、その後方の補助天板(４)とを備えている。
【００２２】
左右の脚体(２)は、前後方向（以下、図２の右方を前として説明する）を向き、かつ前後両端部下面に高さ調節可能な安定脚(５)(５)が取付けられたベース脚(2a)と、その中央よりもやや後方寄りの上面より起立する脚柱(2b)と、脚柱(2b)の上端に中央部の下面が固着された前後方向を向く水平な天板支持部材(６)とよりなっている。
【００２３】
左右の脚体(２)同士は、それらの天板支持部材(６)の前端部と後端部の対向面に左右両端が固着された、前部横連結杆(７)と後部横連結杆(８)とにより互いに連結されている。
【００２４】
左右の天板支持部材(６)の前端部には、平行リンク機構よりなる左右１対の主天板支持体(９)の後端が、上下に回動自在に枢着され、この両主天板支持体(９)の前端部には、上記主天板(３)の左右両端部下面が、複数のガススプリング等の高さ調節手段（図示略）により、脚体(２)の前方に大きく突出した状態で、高さと前傾角度とを調節しうるように取付けられている。
【００２５】
なお、主天板(３)は、左右寸法が前方に向かうにしたがって漸次小となるように、両側縁を円弧状に湾曲させるとともに、前端縁は凹面状に、後端縁は凸面状に、それぞれ後方に向かって湾曲している。
【００２６】
補助天板(４)は、主天板(３)とは反対に、左右寸法が後方に向かうにしたがって漸次小となるように、両側縁が円弧状に湾曲され、かつ前端縁は、主天板(３)の後端縁と補形をなすように、後方に向かって凹状に湾曲され、主天板(３)との対向面間には所要の隙間が形成されている。
【００２７】
図３に示すように、後部横連結杆(８)の前面には、側面視概ね上向きコ字状断面をなす配線ダクト(10)が取付けられられている。
【００２８】
また、左右の天板支持部材(６)における上端部の対向面間には、配線ダクト(10)の前部の上方を目隠しするためのカバー部材(11)が取付けられている。
【００２９】
次に、図４〜図６を参照して、補助天板(４)の取付構造について詳細に説明する。
左右の脚柱(2b)は、アルミニウム合金等を押し出し成形することにより、平面形が前後方向に長い概ね中空楕円状に形成され、内部の中央部の対向面間には、互いに平行をなす前後１対の補強リブ(12)(12)が、上下方向に全長に亘って連設されている。脚柱(2b)内の中央には、両補強リブ(12)により囲まれた平面視ほぼ方形の嵌合孔(13)が、上下方向に向かって形成されている。
【００３０】
脚柱(2b)の前後両端部の厚肉部には、上下方向を向く欠円形の取付孔(14)(14)が形成され、両取付孔(14)は、図４に示すように、天板支持部材(６)の中間部に貫設された前後１対の段付孔(15)(15)と整合している。
【００３１】
脚柱(2b)の上端に天板支持部材(６)を載置したのち、段付孔(15)の上方より挿入した六角孔付きボルト(16)(16)を、前後の取付孔(14)の上端部に形成しためねじ（図示略）に螺合して締め付けることにより、左右の天板支持部材(６)（左右同一構造につき、一方のみ図示する）は、脚柱(2b)の上端に前後方向を向いて固着されている。
【００３２】
段付孔(15)(15)間において天板支持部材(６)の中央部には、やや大径の支持孔(17)が、脚柱(2b)の中央の嵌合孔(13)と連通するようにして、上下に貫設されている。
【００３３】
(18)は、左右１対（同一構造につき、一方のみ図示する）の補助天板(４)支持用のパイプ状の支持杆で、その上端には、前後方向を向く正面視下向コ字状断面をなすブラケット(19)の中央部下面が、溶接により固着されている。
【００３４】
ブラケット(19)の前後両端部の通孔(20)(20)に下方より挿入したボルト(21)を、補助天板(４)の側端部下面に設けためねじ孔（図示略）に螺合することにより、左右のブラケット(19)により補助天板(４)の両側部下面が支持されている。
【００３５】
支持杆(18)の上下寸法は、天板支持部材(６)の支持孔(17)を挿通して、脚柱(2b)の嵌合孔(13)内の上部に嵌合しうる長さとされ、かつその外径は、支持孔(17)よりも若干小径で、かつ前後左右の外周面が嵌合孔(13)の内面に摺接することにより、嵌合孔(13)内に、がたなく嵌合しうる寸法とされている（図５、図６参照）。
【００３６】
支持杆(18)の左右両側面には、縦長楕円形をなす複数の係合孔(22)が、互いに対向するようにして、上下方向に所定間隔おきに穿設されている。
【００３７】
(23)は、半円筒形をなす左右１対の分割スリーブ片(23a)(23a)よりなり、かつそれらの対向面を当接させて合体することにより、円筒形をなすようにした固定スリーブで、その外径は、天板支持部材(６)の支持孔(17)に適正に嵌合しうる寸法とされ、かつ内径は、支持杆(18)を抱き込むように外嵌するために、その外径とほぼ等径とされている。
【００３８】
両分割スリーブ片(23a)の上端には、それらを合体したとき円形に連続する拡径フランジ(24)(24)が形成されている。
両分割スリーブ片(23a)のやや下方寄りの内面中央部には、支持杆(18)の両側面の係合孔(22)に選択的に係合しうる突部(25)が内向きに突設されている。
【００３９】
補助天板(４)を左右の脚体(２)に取付けるには、上述したように、支持杆(18)の上端に固着した左右１対のブラケット(19)に補助天板(４)の両側部下面を固定したのち、支持杆(18)の外周面に、左右１対の分割スリーブ片(23a)を、それらの突部(25)を支持杆(18)の両側面の任意の係合孔(22)に係合させて外嵌する。
【００４０】
ついで、支持杆(18)を、両分割スリーブ片(23a)の合体により形成された固定スリーブ(23)と共に、天板支持部材(６)の支持孔(17)に上方より嵌合し、固定スリーブ(23)の下方に突出する支持杆(18)の下端部を、脚柱(2b)の嵌合孔(13)に嵌合する。
すると、図５に示すように、両分割スリーブ片(23a)の上端の拡径フランジ(24)の下端が、天板支持部材(６)の支持孔(17)の周囲の上面と当接し、支持杆(18)の下方への移動が阻止されることにより、補助天板(４)は、左右の脚体(２)により任意の高さで支持される。
【００４１】
補助天板(４)の高さを調節する際は、支持杆(18)と共に固定スリーブ(23)を天板支持部材(６)の支持孔(17)より一旦抜き去り、新たに選択した支持杆(18)の係合孔(22)に両分割スリーブ片(23a)の突部(25)を係合したのち、再度、支持杆(18)と共に固定スリーブ(23)を支持孔(17)に嵌合すればよい。
【００４２】
以上説明したように、上記実施形態の机(１)においては、補助天板(４)を支持している左右の支持杆(18)は、天板支持部材(６)の支持孔(17)を挿通して、中空をなす左右の脚柱(2b)の嵌合孔(13)内に嵌合され、その中において上下動するため、支持杆(18)の下端部を外部に露呈させることになく、補助天板(４)を高さ調節可能に体裁よく支持することができる。
【００４３】
また、支持杆(18)の下部は、脚柱(2a)内において上下動し、主天板(３)や補助天板(４)の下方の下肢空間を小さくすることがないので、支持杆(18)の上下寸法を大として、補助天板(４)の高さの調整範囲を大きくすることもできる。
【００４４】
さらに、支持杆(18)の下部は、脚柱(2b)の嵌合孔(13)内にがたなく嵌合されているので、補助天板(４)の高さを、支持杆(18)の下端部が嵌合孔(13)より離脱しない上限位置まで高くしても、支持杆(18)がぐらつく恐れはなく、補助天板(４)を安定して支持することができる。
【００４５】
支持杆(18)の左右両側面に複数の係合孔(22)を設け、これらの任意の係合孔(22)に、上端に拡径フランジ(24)を有する１対の分割スリーブ片(23a)の突部(25)を係合させ、これにより形成された固定スリーブ(23)を天板支持部材(６)の支持孔(17)に嵌合するだけで、補助天板(４)を、左右の脚体(２)に簡単に高さ調節可能に取付けることができ、かつ複雑な構造の上下位置調節手段やブラケット等が不要となるので、コスト低減が図れるとともに、見栄えもよくなる。
【００４６】
主天板(３)は、左右の天板支持部材(６)の前端部に後端が取付けられた主天板支持体(９)により、脚体(２)の前方に大きく突出した状態で支持されているので、補助天板(４)の前後寸法を大として、ＯＡ機器等の物品の載置面積を大きくしうるとともに、補助天板(４)は、主天板(３)の後方に独立して設けられているので、それに妨げられることなく、主天板(３)の上面全体を広い作業面として使用することができる。
【図面の簡単な説明】
【００４７】
【図１】本発明の机の一実施形態を示す斜視図である。
【図２】同じく、側面図である。
【図３】同じく、机の上部の中央縦断拡大側面図である。
【図４】同じく、補助天板を支持する部材の分解斜視図である。
【図５】図３のＶ−Ｖ線縦断正面図である。
【図６】同じく、ＶI−ＶI線拡大横断平面図である。
【符号の説明】
【００４８】
(１)机
(２)脚体
(2a)ベース脚
(2b)脚柱
(３)主天板
(４)補助天板
(５)安定脚
(６)天板支持部材
(７)前部横連結杆
(８)後部横連結杆
(９)主天板支持体
(10)配線ダクト
(11)カバー部材
(12)補助リブ
(13)嵌合孔
(14)取付孔
(15)段付孔
(16)ボルト
(17)支持孔
(18)支持杆
(19)ブラケット
(20)通孔
(21)ボルト
(22)係合孔
(23)固定スリーブ
(23a)分割スリーブ片
(24)拡径フランジ
(25)突部
【図１】
0004694917.tif 000002
【図２】
0004694917.tif 000003
【図３】
0004694917.tif 000004
【図４】
0004694917.tif 000005
【図５】
0004694917.tif 000006
【図６】
0004694917.tif 000007